(57)【特許請求の範囲】
【請求項１】
紙媒体に対して電子ペンによって指定された前記紙媒体上の座標の情報である座標情報を取得する座標取得手段と、
前記紙媒体が載置される載置部の外縁近傍に設けられた画像を撮像する撮像手段を使用して、前記紙媒体に関する情報である第一情報に対応して前記紙媒体の側面の一部に形成された模様である情報模様を撮像し、撮像した前記画像を取得する画像取得手段と、
前記画像取得手段によって取得された前記画像中における一行の画素を読み取り、第一記憶手段に予め記憶された、前記情報模様から前記第一情報を特定するための情報である第二情報を使用して、読み取った一行の前記画素に含まれる前記情報模様から前記第一情報を特定する特定手段と、
前記特定手段によって特定された前記第一情報と、前記座標取得手段によって取得された前記座標情報とを対応付けて第二記憶手段に記憶する第一記憶制御手段と
を備え、
前記第一情報は、前記紙媒体のページの情報であるページ情報を含み、
前記第二情報は、前記情報模様から前記ページ情報を特定するための情報を含み、
前記特定手段は、前記第二情報を使用して、前記画像取得手段によって取得された前記画像中の前記情報模様から、前記ページ情報を含む前記第一情報を特定し、
前記第一記憶制御手段は、前記特定手段によって特定された前記ページ情報を含む前記第一情報と、前記座標取得手段によって取得された前記座標情報とを対応付けて前記第二記憶手段に記憶し、
前記特定手段は、前記第一情報を特定する場合に、前記画像取得手段によって取得された前記画像中における最も上の行から最も下の行に向けて順番に一行の前記画素を読み取ることを特徴とする読取装置。
【請求項２】
前記特定手段によって前記第一情報が特定されたか否かを判断する特定判断手段と、
前記特定判断手段によって前記第一情報が特定されていないと判断された場合に、前記座標取得手段によって取得された前記座標情報を第三記憶手段に記憶する第二記憶制御手段と
を備え、
前記特定判断手段によって前記第一情報が特定されたと判断された場合に、前記第一記憶手段は、前記特定手段によって特定された前記第一情報と、前記座標取得手段によって取得された前記座標情報とを対応付けて前記第二記憶手段に記憶することを特徴とする請求項１に記載の読取装置。
【請求項３】
前記第一情報は、前記紙媒体の形式の情報であるフォーマット情報を含み、
前記第二情報は、前記情報模様から前記フォーマット情報を特定するための情報を含み、
前記特定手段は、前記第二情報を使用して、前記画像取得手段によって取得された前記画像中の前記情報模様から前記フォーマット情報を含む前記第一情報を特定し、
前記第一記憶制御手段は、前記特定手段によって特定された前記フォーマット情報を含む前記第一情報と、前記座標取得手段によって取得された前記座標情報とを対応付けて前記第二記憶手段に記憶することを特徴とする請求項１又は２に記載の読取装置。
【請求項４】
前記撮像手段は、
光を検出して画像を取得する光検出部と、
発光する発光部と、
前記発光部が発した光を前記紙媒体の側面に向けて反射するとともに、前記紙媒体の側面によって反射された光を前記光検出部に向けて反射するミラー部と
を備え、
前記光検出部と前記ミラー部とは、前記載置部の外縁の一辺が延びる方向に並ぶことを特徴とする請求項１から３のいずれかに記載の読取装置。
【発明の詳細な説明】
【技術分野】
【０００１】
本発明は、ユーザが書き込みを行った紙媒体上の座標を読み取って記憶する読取装置に関する。
【背景技術】
【０００２】
従来、ユーザが書き込みを行った紙上の位置を読み取って記憶することで、ユーザが紙に書き込んだ内容（以下、適宜「書き込み内容」という。）を記憶する装置が知られている。このような装置としては、例えば、カメラシステムを内部に備えた光学式の電子ペンや、電磁誘導式のタブレット型の電子ペンなどが知られている。光学式の電子ペンは、電子ペンの内部にカメラシステムやバッテリ等を備えている。カメラシステムは、照明用光源、レンズ、及び光学式画像読取部等を備えている。また、電子ペンによって書き込みが行われる対象となる紙には、座標を表すパターンが印刷されている。ユーザによって紙に書き込みが行われると、電子ペンは、カメラシステムで紙上のパターンを撮像し、書き込みが行われた位置を計算し、記憶することができる（例えば、特許文献１参照）。また、例えば、紙上のパターンに、ページなどの紙に関する情報を持たせれば、電子ペンは、ユーザが現在書き込みを行っている紙に関する情報を自動で読み取ることが可能となる。このため、ユーザによって書き込まれた紙上の座標と、紙に関する情報とを対応付けることが可能となる。
【先行技術文献】
【特許文献】
【０００３】
【特許文献１】特表２００８−５３２１３９号公報
【発明の概要】
【発明が解決しようとする課題】
【０００４】
しかしながら、特許文献１に記載の電子ペンでは、カメラシステムを内部に備えているため、電子ペンが大きくなるという問題点があった。一方、例えば、電磁誘導式など、光学式以外の方法では、カメラシステムを内部に備える必要がないので、電子ペンを小型化することができる。しかし、紙上のパターンを読み取ることができないので、紙に関する情報を読み取ることができないという問題点があった。
【０００５】
本発明の目的は、ユーザが把持する電子ペンを小型化し、且つ紙に関する情報を読み取ることが可能な読取装置を提供することである。
【課題を解決するための手段】
【０００６】
本発明の第１の態様に係る読取装置は、紙媒体に対して電子ペンによって指定された前記紙媒体上の座標の情報である座標情報を取得する座標取得手段と、前記紙媒体が載置される載置部の外縁近傍に設けられた画像を撮像する撮像手段を使用して、前記紙媒体に関する情報である第一情報に対応して前記紙媒体の側面の一部に形成された模様である情報模様を撮像し、撮像した前記画像を取得する画像取得手段と、前記画像取得手段によって取得された前記画像中における一行の画素を読み取り、第一記憶手段に予め記憶された、前記情報模様から前記第一情報を特定するための情報である第二情報を使用して、読み取った一行の前記画素に含まれる前記第一情報を特定する特定手段と、前記特定手段によって特定された前記第一情報と、前記座標取得手段によって取得された前記座標情報とを対応付けて第二記憶手段に記憶する第一記憶制御手段とを備え、前記第一情報は、前記紙媒体のページの情報であるページ情報を含み、前記第二情報は、前記情報模様から前記ページ情報を特定するための情報を含み、前記特定手段は、前記第二情報を使用して、前記画像取得手段によって取得された前記画像中の前記情報模様から、前記ページ情報を含む前記第一情報を特定し、前記第一記憶制御手段は、前記特定手段によって特定された前記ページ情報を含む前記第一情報と、前記座標取得手段によって取得された前記座標情報とを対応付けて前記第二記憶手段に記憶し、前記特定手段は、前記第一情報を特定する場合に、前記画像取得手段によって取得された前記画像中における最も上の行から最も下の行に向けて順番に一行の前記画素を読み取る。この場合、撮像手段は、載置部の外縁近傍に設けられている。つまり、電子ペン内部には設けられていない。このため、電子ペンを小型化できる。また、特定手段は、紙に関する情報である第一情報を特定することができる。つまり、読取装置は、第一情報を読み取ることができる。さらに、読取装置は、特定手段によって特定された第一情報と、座標取得手段によって取得された座標情報とを対応付けて第二記憶手段に記憶することができる。また、情報模様は、紙媒体の側面の一部に形成されるため、ユーザが書き込みを行う部分に情報模様が形成されない。このため、書き込みを行う際に情報模様がユーザの目に付きにくく、ユーザが書き込みを行い易くなる。また、紙媒体のページ情報を自動的に読み取って、ページ情報に対応付けて書き込み内容（座標情報）を記憶することができる。ページ毎に書き込み内容を管理することができるので、ユーザの利便性が向上する。
【０００７】
前記読取装置において、前記特定手段によって前記第一情報が特定されたか否かを判断する特定判断手段と、前記特定判断手段によって前記第一情報が特定されていないと判断された場合に、前記座標取得手段によって取得された前記座標情報を第三記憶手段に記憶する第二記憶制御手段とを備え、前記特定判断手段によって前記第一情報が特定されたと判断された場合に、前記第一記憶手段は、前記特定手段によって特定された前記第一情報と、前記座標取得手段によって取得された前記座標情報とを対応付けて前記第二記憶手段に記憶してもよい。この場合、紙媒体に情報模様が形成されていない場合でも、第三記憶手段に座標情報を記憶することができる。つまり、情報模様が形成されている専用紙をユーザが使用せず、汎用紙に対して書き込みを行った場合でも、書き込み内容（座標情報）を記憶することができる。よって、ユーザの利便性が向上する。
【０００８】
【０００９】
前記読取装置において、前記第一情報は、前記紙媒体の形式の情報であるフォーマット情報を含み、前記第二情報は、前記情報模様から前記フォーマット情報を特定するための情報を含み、前記特定手段は、前記第二情報を使用して、前記画像取得手段によって取得された前記画像中の前記情報模様から前記フォーマット情報を含む前記第一情報を特定し、前記第一記憶制御手段は、前記特定手段によって特定された前記フォーマット情報を含む前記第一情報と、前記座標取得手段によって取得された前記座標情報とを対応付けて前記第二記憶手段に記憶してもよい。この場合、紙媒体のフォーマット情報を読み取って、フォーマット情報に対応付けて書き込み内容（座標情報）を記憶することができる。紙媒体の形式毎に書き込み内容を管理することができるので、ユーザの利便性が向上する。
【００１０】
前記読取装置は、光を検出して画像を取得する光検出部と、発光する発光部と、前記発光部が発した光を前記紙媒体の側面に向けて反射するとともに、前記紙媒体の側面によって反射された光を前記光検出部に向けて反射するミラー部とを備え、前記光検出部と前記ミラー部とは、前記載置部の外縁の一辺が延びる方向に並んでもよい。
【００１１】
【図面の簡単な説明】
【００１２】
【図１】手書入力システム１の物理的構成を示す図である。
【図２】カメラシステム２３の内部構成を示す図である。
【図３】読取装置２の電気的構成を示すブロック図である。
【図４】紙媒体７０の側面７８に形成された情報模様６１を示す図である。
【図５】第一データテーブル５１を示す模式図である。
【図６】第二データテーブル５２を示す模式図である。
【図７】メイン処理を示すフローチャートである。
【図８】３ページ目が開かれた状態で紙媒体７０が載置部２４に載置された状態における読取装置２の平面図である。
【図９】カメラシステム２３によって撮像された画像９０を示す図である。
【図１０】図８における紙媒体７０に、文字が書き込まれた状態を示す読取装置２の平面図である。
【図１１】座標情報データテーブル５３を示す模式図である。
【図１２】図１１に示す座標情報データテーブル５３に対応してディスプレイ４に表示された画像の示す図である。
【図１３】載置部２４に載置された紙媒体７０の上面の左下部に形成された情報模様６１を示す図である。
【図１４】図１３に示す読取装置２を前側から見た図である。
【図１５】手書入力システム１０の物理的構成を示す図である。
【図１６】図１５に示す手書入力システム１０の読取装置２及びＰＣ８の電気的構成を示す図である。
【発明を実施するための形態】
【００１３】
以下、本発明を具現化した一実施形態について、図面を参照して説明する。まず、図１を参照し、第一実施形態に係る手書入力システム１の概要について説明する。以下の説明では、図１の紙面の左側、右側、上側、下側、手前側、奥行き側を、それぞれ、読取装置２の左側、右側、後側、前側、上側、下側と定義して説明する。
【００１４】
図１に示すように、手書入力システム１は、読取装置２、電子ペン３、及びディスプレイ４を備えている。手書入力システム１は、いわゆる電磁誘導式の電子ペン３及び読取装置２によって、ユーザによって紙媒体７０（図８参照）に書き込まれた内容の記憶や、表示を行うシステムである。なお、図１では、説明のため、電子ペン３の内部構成の概略を示している。
【００１５】
読取装置２は、平面視で左右方向に長く、上下方向において薄型の直方体状の形状をしている。読取装置２の左後部（紙面左上）には、小型のディスプレイ２１が設けられている。ディスプレイ２１には、種々の情報が表示される。ディスプレイ２１の前側には、入力部２２が設けられている。ユーザは、入力部２２を使用して、読取装置２を操作することができる。入力部２２の前側における載置部２４（後述）の外縁近傍には、カメラシステム２３が設けられている。カメラシステム２３は、読取装置２の上方（紙面手前側）に突出している。カメラシステム２３は、載置部２４に載置された紙媒体７０に形成されている情報模様６１（図４参照、後述）を撮像する。ディスプレイ２１と入力部２２とカメラシステム２３との右側から、読取装置２の右部に亘って、載置部２４が設けられている。載置部２４には、紙媒体７０が載置される（図８参照）。載置部２４には、電子ペン３によって指定される座標の情報（以下、座標情報という。）を検出する座標検出部２５が設けられている。なお、載置部２４と座標検出部２５は、図１において点線で示した同一の範囲に設けられている。
【００１６】
以下の説明では、電子ペン３において、ペン先３１が設けられている方向を先端方向という。また、先端方向の反対方向を後端方向という。電子ペン３は、芯３７、検出スイッチ３３、ボタン型の電池３４、コイル３５、及び基板３６を備えている。芯３７は、金属製の部材である。また、芯３７は、ペン先３１とインク収納部３２とで構成されている。芯３７は、電子ペン３の先端部の内部に設けられ、そのペン先３１が外部に突出している。インク収納部３２には、インクが収納されている。インク収納部３２に収納されたインクはペン先３１に供給される。このため、ユーザは、電子ペン３を使用して紙媒体７０に種々のキャラクタ（文字、数値、及び図形等）を記載することができる。芯３７は、図示しない弾性部材により常に先端方向に付勢されている。
【００１７】
芯３７の後端方向には、基板３６が設けられている。基板３６の先端部には、検出スイッチ３３が実装されている。基板３６の後端方向には、電池３４が設けられている。電池３４は、基板３６に接続されている。電池３４のマイナス側の電極は、基板３６上の配線を介して、コイル３５に電気的に接続されている。また、電池３４のプラス側の電極は、基板３６上の配線を介して、検出スイッチ３３に電気的に接続されている。検出スイッチ３３は、基板３６上の配線を介して、コイル３５に電気的に接続されている。コイル３５は、電子ペン３の内部の先端部において芯３７の周囲に巻回されている。芯３７は、ユーザが紙媒体７０にキャラクタを記載する場合の押圧力によって、弾性部材の付勢力に抗して電子ペン３の内部にやや退入する。この退入によって、芯３７の後端部が検出スイッチ３３を押下し、検出スイッチ３３がオン状態になる。これによって、電池３４とコイル３５とが導通し、電池３４からコイル３５に向かって電流が流れる。コイル３５に電流が流れると磁界が発生する。読取装置２の座標検出部２５は、発生した磁界を検出することで、ユーザによって書き込みが行われた位置（すなわち、座標情報）を検出する。なお、本実施形態では、座標検出部２５の左前（紙面左下）の座標（Ｘ，Ｙ）が（０，０）であるとする。なお、座標「Ｘ」が座標検出部２５（載置部２４）における左右方向の位置を表わしているとし、座標「Ｙ」が前後方向の位置を表しているとする。
【００１８】
なお、電子ペン３は、検出スイッチ３３を設けずに構成することも可能である。この場合、例えば、検出スイッチ３３の代わりに、基板３６上に離間した電極（例えば、ランド等）を設ける。また、一方の電極を基板３６上の配線を介して電池３４のプラス側電極に接続し、他方の電極をコイル３５に接続する。そして、ユーザが紙媒体７０にキャラクタを記載する場合の押圧力によって、芯３７が電子ペン３の内部にやや退入する場合に、離間した２つの電極に芯３７が接触するように構成する。芯３７は、金属で構成されているので、芯３７を介して２つの電極が導通する。これによって、電池３４からコイル３５に向かって電流が流れ、コイル３５によって磁界が発生する。これによって、読取装置２の座標検出部２５によって、座標情報が検出される。
【００１９】
読取装置２は、ディスプレイ４に接続されている。ディスプレイ４には、ユーザが読取装置２の載置部２４に載置した紙媒体７０に対応した画像と、ユーザが書き込んだ内容が表示される（図１２参照）。
【００２０】
図２を参照して、カメラシステム２３の内部構成について説明する。図２では、紙媒体７０が載置部２４に載置された場合におけるカメラシステム２３の周辺部を拡大している。カメラシステム２３は、カメラユニット２３１、ＬＥＤ（Ｌｉｇｈｔ  Ｅｍｉｔｔｉｎｇ  Ｄｉｏｄｅ）２３４、ミラー２３５、及び基板２３６を備えている。カメラユニット２３１は、イメージセンサ２３２とレンズユニット２３３とを備えている。イメージセンサ２３２には、例えば、ＣＣＤ（Ｃｈａｒｇｅ  Ｃｏｕｐｌｅｄ  Ｄｅｖｉｃｅ）リニアイメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等を用いることができる。
【００２１】
基板２３６は、カメラシステム２３の内部の左面の後部に設けられている。基板２３６には、右側に向けてカメラユニット２３１とＬＥＤ２３４とが実装されている。カメラユニット２３１とＬＥＤ２３４とは、基板２３６を介して、ＣＰＵ２０１（図３参照）に接続されている。カメラユニット２３１は、カメラシステム２３の後部に設けられている。カメラユニット２３１は、前方を向いている。イメージセンサ２３２は、カメラシステム２３の後部に位置している。レンズユニット２３３は、イメージセンサ２３２が設けられている位置から前方に向けて設けられている。ＬＥＤ２３４は、レンズユニット２３３の左前方に設けられている。ミラー２３５は、カメラシステム２３の前部において、左後から右前方向に斜めに設けられている。
【００２２】
ＣＰＵ２０１が、カメラシステム２３を制御して、紙媒体７０の側面７８に形成された情報模様６１（図４参照、後述）を撮像する場合について説明する。この場合、ＬＥＤ２３４が発光される。発光された光は、ミラー２３５によって右方向に反射され、情報模様６１を含んだ紙媒体７０の側面７８を照らす。さらに、側面７８を照らした光がミラー２３５の方向（左方向）に反射される。反射された光は、ミラー２３５で後方に反射され、レンズユニット２３３を介して、イメージセンサ２３２によって検出される。ＣＰＵ２０１は、イメージセンサ２３２によって検出された画像を取得することができる。なお、情報模様６１が撮像される場合、レンズユニット２３３が制御され、情報模様６１を撮像するために適した焦点距離に調整される。
【００２３】
図３を参照して、読取装置２の電気的構成について説明する。図３に示すように、読取装置２は、ＣＰＵ２０１、ＲＯＭ２０２、ＲＡＭ２０３、及びフラッシュメモリ２０４を備えている。ＲＯＭ２０２、ＲＡＭ２０３、及びフラッシュメモリ２０４は、ＣＰＵ２０１に電気的に接続されている。
【００２４】
ＣＰＵ２０１は、読取装置２の制御を行う。ＲＯＭ２０２は、プログラム記憶領域２０２１、データテーブル記憶領域２０２２、及び画像データ記憶領域２０２３を少なくとも備えている。プログラム記憶領域２０２１には、ＣＰＵ２０１が読取装置２を制御するために実行する各種プログラムが記憶されている。データテーブル記憶領域２０２２には、後述する第一データテーブル５１（図５参照）と第二データテーブル５２（図６参照）とが記憶されている。画像データ記憶領域２０２３には、後述するページ情報とフォーマット情報とに対応した画像のデータが記憶されている。
【００２５】
フラッシュメモリ２０４は、座標情報記憶領域２０４１を少なくとも備えている。座標情報記憶領域２０４１には、後述する座標情報データテーブル５３（図１１参照）が記憶される。ＲＡＭ２０３には、種々のデータが一時的に記憶される。
【００２６】
読取装置２は、入力部２２及び駆動回路２０６〜２１０を備えている。入力部２２及び駆動回路２０６〜２１０は、ＣＰＵ２０１と電気的に接続されている。駆動回路２０６，２０７，２０８，２０９は、それぞれ、ディスプレイ２１、ＬＥＤ２３４、イメージセンサ２３２、及び座標検出部２５を駆動するための電子回路である。駆動回路２１０は、ディスプレイ４に画像を表示させるための電子回路である。
【００２７】
図４を参照して、情報模様６１について説明する。情報模様６１は、紙媒体７０の縁部７７（紙媒体７０の平面視における外周周辺。図２及び図８参照）の一部に印刷によって形成されている。より詳細には、情報模様６１は、図４に示すように、紙媒体７０の縁部７７のうち、側面７８の一部（より詳細には、紙媒体７０が載置部２４に載置された場合におけるカメラシステム２３の撮像範囲に対応する位置）に形成されている。情報模様６１は、紙媒体７０に黒色が印刷されることによって形成された白黒のパターンであり、ページ毎に形成されている。本実施形態では、一例として、紙媒体７０は、５ページで構成されたノートであるとする。ページ７１〜７５は、それぞれ、紙媒体７０の１ページ目から５ページ目を表している。
【００２８】
情報模様６１は、紙媒体７０に関する情報である第一情報に対応して、紙媒体７０に予め形成された模様である。本実施形態では、第一情報には、紙媒体７０のページの情報であるページ情報と、紙媒体７０の形式（例えば、罫線や、カレンダーなど。以下、フォーマットという。）の情報であるフォーマット情報とが含まれている。そして、情報模様６１は、ページ情報に対応して形成されたページ模様６２と、フォーマット情報に対応して形成されたフォーマット模様６３とを含む。ＣＰＵ２０１は、カメラシステム２３によって撮像された情報模様６１と、後述する第一データテーブル５１（図５参照）と第二データテーブル５２（図６参照）とに基づいて、載置部２４上で開かれた紙媒体７０のページと、紙媒体７０のフォーマットとを特定することができる。なお、情報模様６１は印刷によって形成されているが、これに限定されない。例えば、情報模様６１は、レーザ加工によって、紙媒体７０に形成されてもよい。
【００２９】
図５を参照して第一データテーブル５１について説明する。図５に示すように、第一データテーブル５１には、ページ模様６２と第一情報に含まれるページ情報とが対応付けられて記憶されている。以下の説明では、例えば、ページ模様６２１の模様を「■□■□■□■」のように表わすが、実際にはデータとして記憶されている。また、「□」は、図４に示すように、紙媒体７０において黒色で印刷されていない部分を表している（後述する第二データテーブル５２も同様）。図５に示すように、第一データテーブル５１では、ページ模様６２１「■□■□■□■」とページ情報「１ページ」とが対応付けられ、ページ模様６２２「■□■□■□□」とページ情報「２ページ」とが対応付けられている。ページ模様６２３〜６２９についても、それぞれ、ページ情報「３ページ」〜「９ページ」に対応付けられている。なお、図５には表わしていないが、１０ページ以降も同様に、ページ模様６２とページ情報とが対応付けられている。
【００３０】
図４に示すように、ページ７１には、ページ情報「１ページ」に対応付けられたページ模様６２１「■□■□■□■」（図５参照）と同一のページ模様６２が形成されている。同様に、ページ７２〜７５には、それぞれページ情報「２ページ」〜「５ページ」に対応付けられた、ページ模様６２２，６２３，６２４，６２５（図５参照）と同一のページ模様６２が形成されている。
【００３１】
図６を参照して第二データテーブル５２について説明する。図６に示すように、第二データテーブル５２には、フォーマット模様６３と第一情報に含まれるフォーマット情報とが対応付けられて記憶されている。第二データテーブル５２では、フォーマット模様６３１「■■■■」とフォーマット情報「アドレス帳」とが対応付けられている。同様に、フォーマット模様６３２「■■□■」とフォーマット情報「罫線」とが対応付けられ、フォーマット模様６３３「■□■■」とフォーマット情報「カレンダー」とが対応付けられている。なお、図６には示していないが、その他の種々のフォーマット情報（例えば、無地のフォーマット情報）も同様に、フォーマット模様６３と対応付けられている。本実施形態では、紙媒体７０のフォーマットは、「罫線」であるとする（図８参照）。このため、図４に示すように、ページ７２〜７５には、フォーマット情報「罫線」に対応付けられた、フォーマット模様６３２「■■□■」（図６参照）と同一のフォーマット模様６３が形成されている。
【００３２】
図７を参照し、本実施形態におけるＣＰＵ２０１によって実行されるメイン処理について説明する。メイン処理は、読取装置２の電源がオンされることを契機に開始される。メイン処理が行われることで、ユーザが書き込んだ内容が、第一情報と対応付けられて記憶される。以下の説明では、図８に示すように、ユーザが紙媒体７０の３ページ目を開いて、載置部２４に載置した場合を例示しながら説明する。なお、ユーザは１ページと２ページとを後側に向けて開くことで、３ページ目を開いているが、図８では、１ページと２ページの図示は省略しており、３ページの罫線のフォーマットのみを示している。また、フローチャートのステップを「Ｓ」と略記する。
【００３３】
図７に示すように、まず、カメラシステム２３（図８参照）が制御され、紙媒体７０の側面７８に形成された情報模様６１が撮像され、撮像された画像が取得される（Ｓ１１）。例えば、図９に示す画像９０が取得される。図９では、個々の画素（イメージセンサ２３２中の個々の受光素子に対応した画素）を点線で示している。また、行９０１は、横一行の画素（紙面左右方向の画素）を表している（行９０２〜９１８も同様）。行９０１〜９１８は、紙面の上から順に下方向に並んでいる。
【００３４】
次いで、図７に示すように、取得された画像９０中の画素の横一行の画素が読み取られる（Ｓ１２）。なお、Ｓ１２は、繰り返し実行されるが、本実施形態では、Ｓ１２が繰り返される度に、最も上の行９０１から最も下の行９１８に向けて順番に横一行の画素が読み取られる。上から順に読み取られるので、Ｓ１３（後述）で最初に特定された情報模様６１が、ユーザが開いているページの情報模様６１となる。
【００３５】
次いで、データテーブル記憶領域２０２２に記憶された第一データテーブル５１及び第二データテーブル５２が参照され、Ｓ１２で読み取られた行に含まれる情報模様６１から第一情報（ページ情報及びフォーマット情報）が特定される（Ｓ１３）。言い換えると、照合が行われる。次いで、Ｓ１３で第一情報が特定されたか否かが判断される（Ｓ１４）。例えば、行９０１（図９参照）が読み取られた場合（Ｓ１２）、情報模様６１が存在しないので、ＣＰＵ２０１は、第一情報を特定できない（Ｓ１３）、このため、第一情報が特定されていないと判断される（Ｓ１４：ＮＯ）。次いで、画像９０中の最後の行（一番下の行）９１８までＳ１２で読み取られたか否かが判断される（Ｓ１５）。最後の行９１８まで読み取られていない場合（Ｓ１５：ＮＯ）、処理はＳ１２に戻り、直前にＳ１２で読み取られた行の下の行が読み取られる。
【００３６】
例えば、Ｓ１２〜Ｓ１５の処理が繰り返され、行９０９（図９参照）が読み取られた場合（Ｓ１２）、行９０９に含まれる情報模様６１のうち、ページ模様６２「■□■□□□■」は、第一データテーブル５１（図５参照）のページ模様６２３と一致する。このため、ページ模様６２３と対応付けられたページ情報「３ページ」が特定される（Ｓ１３）。また、行９０９に含まれる情報模様６１のうち、フォーマット模様６３「■■□■」は、第二データテーブル５２（図６参照）のフォーマット模様６３２と一致する。このため、フォーマット模様６３２に対応付けられたフォーマット情報「罫線」が特定される（Ｓ１３）。
【００３７】
Ｓ１３で第一情報（ページ情報及びフォーマット情報）が特定されると（Ｓ１４：ＹＥＳ）、座標情報記憶領域２０４１が参照され、Ｓ１３で特定された第一情報に対応付けられた座標情報が記憶されているか否かが判断される（Ｓ１６）。言い換えると、ユーザによって、以前に書き込まれた内容が存在するか否かが判断される。なお、座標情報は、後述するＳ２４で、第一情報に対応つけられて座標情報記憶領域２０４１に記憶される（図１１参照）。
【００３８】
第一情報に対応付けられた座標情報が記憶されていない場合（Ｓ１６：ＮＯ）、Ｓ１３で特定されたフォーマット情報とページ情報とに対応した画像がディスプレイ４に表示される（Ｓ１７）。このとき、画像データ記憶領域２０２３に記憶されている画像を表示する（後述するＳ１８及びＳ２６も同様）。これによって、図１２に示すように、Ｓ１３で特定されたフォーマット情報「罫線」、ページ情報「３ページ」に対応した画像がディスプレイ４に表示される。図１２では、ディスプレイ４に、ユーザが載置部２４に載置した紙媒体７０（フォーマットが「罫線」）の３ページ目（図８参照）と同様の画像が表示されている。なお、図１２では、ユーザによって書き込まれた文字「ＡＢＣ」が、後述するＳ２５によって表示された場合の画像を示しているが、ユーザが書き込みを行うまでは、文字「ＡＢＣ」は表示されない。また、Ｓ１７は繰り返し実行される場合があるが、既に同一の画像が表示されている場合は、新たに画像が更新されることなく、画像の表示が継続される（後述するＳ１８も同様）。
【００３９】
次いで、時間Ｔ１が「０秒」に設定される（Ｓ１９）。時間Ｔ１は、ユーザが書き込みを行っていない間の秒数をカウントするための変数である。次いで、時間Ｔ１の測定が開始される（Ｓ２０）。次いで、時間Ｔ１が時間Ｔ２以上であるか否かが判断される（Ｓ２１）。言い換えると、時間Ｔ２以上、ユーザによって書き込みが行われていないか否かが判断される（Ｓ２１）。本実施形態では、時間Ｔ２は１０秒であるとする。
【００４０】
時間Ｔ１が時間Ｔ２以上でない場合（Ｓ２１：ＮＯ）、座標検出部２５を介して、ユーザが電子ペン３を使用して紙媒体７０に書き込んだ内容に対応した座標情報が取得される（Ｓ２２）。言い換えると、紙媒体７０に対して電子ペン３によって指定された座標情報が取得される。次いで、Ｓ２２で座標情報が取得されたか否かが判断される（Ｓ２３）。座標情報が取得されていない場合（Ｓ２３：ＮＯ）、処理はＳ２１に戻る。
【００４１】
座標情報が取得された場合（Ｓ２３：ＹＥＳ）、取得された座標情報と、Ｓ１３で特定された第一情報（ページ情報及びフォーマット情報）とが、対応付けられて座標情報記憶領域２０４１に記憶される（Ｓ２４）。次いで、Ｓ２４で記憶された座標情報と第一情報とに基づいて、ディスプレイ４に表示された画像が更新される（Ｓ２５）。次いで、処理はＳ１９に戻る。
【００４２】
例えば、図１０に示すように、ユーザによって、紙媒体７０に文字「ＡＢＣ」が書き込まれた場合、Ｓ１９〜Ｓ２５が繰り返される。このとき、Ｓ２４によって、座標情報記憶領域２０４１には、図１１に示す座標情報データテーブル５３が記憶される。
【００４３】
座標情報データテーブル５３では、座標情報と、第一情報であるフォーマット情報とページ情報とが対応付けられて記憶されている。より詳細には、フォーマット情報「罫線」、ページ情報「３ページ」、及び座標情報「（２４，７３）〜（１７、５６）〜（５９，６０）」が記憶されている。座標情報は、図１０に示すように、電子ペン３によって指定された座標である。図１１では、座標情報「（２４，７３）、（１７、５６）、（５９，６０）」のみしか示していないが、文字「ＡＢＣ」（図１０参照）に対応した全ての座標情報が記憶されている。
【００４４】
また、Ｓ２５によって、図１１の座標情報データテーブル５３に基づいて、図１２に示すように、ディスプレイ４に表示されている画像（フォーマット情報「罫線」及びページ情報「３ページ」の画像）に、ユーザによって書き込まれた文字「ＡＢＣ」が表示される。
【００４５】
ユーザが文字「ＡＢＣ」を書き込んだ後、１０秒以上書き込みを行わなかった場合、時間Ｔ１が時間Ｔ２以上になったと判断され（Ｓ２１：ＹＥＳ）、処理はＳ１１に戻る。そして、Ｓ１６では、座標情報データテーブル５３（図１１参照）が、座標情報記憶領域２０４１に記憶されているので、第一情報に対応付けられた座標情報が記憶されていると判断される（Ｓ１６：ＹＥＳ）。そして、Ｓ１８では、既に表示されている図１２に示す画像がディスプレイ４に継続して表示される。
【００４６】
例えば、ユーザが、紙媒体７０への書き込みを終了して、ユーザが読取装置２の電源をオフしたとする。この場合、メイン処理が終了される。ユーザが再度電源をオンすると、再びメイン処理が実行される。ここで、図１０に示すように、ユーザが、文字「ＡＢＣ」が書き込まれた「３ページ」を開いて、載置部２４に紙媒体７０を載置すると、以前書き込まれた座標情報データテーブル５３（図１１参照）が存在するため、第一情報に対応付けられた座標情報が記憶されていると判断される（Ｓ１６：ＹＥＳ）。そして、座標情報記憶領域２０４１に記憶されている座標情報データテーブル５３に基づいて、図１２に示す画像が表示される（Ｓ１８）。このため、ユーザは、以前書き込んだ文字「ＡＢＣ」に続けて新たに書き込みを行うことができる。ユーザが新たに書き込みを行うと、座標情報データテーブル５３（図１１参照）に、座標情報が追加される（Ｓ２４）。このように、読取装置２は、座標情報記憶領域２０４１に記憶された第一情報（フォーマット情報及びページ情報）に対応付けられた書き込み内容（座標情報）に追加して新たに書き込まれた内容（座標情報）を記憶することができる。以上のように、本実施形態における読取装置２は、ページ情報とフォーマット情報とを自動的に読み取って、ページ毎及びフォーマット毎に座標情報（書き込み内容）を管理することができるのでユーザの利便性が向上する。
【００４７】
次に、情報模様６１が形成されていない紙媒体（図示外）を、ユーザが載置部２４に載置した場合について説明する。この場合、情報模様６１が形成されていないので、Ｓ１２〜Ｓ１５が繰り返された後、最後の行９１８（図９参照）まで読み取ったと判断される（Ｓ１５：ＹＥＳ）。次いで、無地のフォーマット情報に基づく画像がディスプレイ４に表示される（Ｓ２６）。
【００４８】
Ｓ２６は、ユーザによって紙媒体７０に書き込みが行われることで、Ｓ３２（後述）で座標情報が記憶され、Ｓ３３（後述）でディスプレイ４に表示された後、再び実行される場合がある。この場合には、書き込み内容が表示された画像が継続して表示される（Ｓ２６）。また、例えば、ユーザが入力部２２を使用して、新たなフォーマットを表示することを指示した場合には、書き込み内容が表示されていない新たな無地のフォーマットの画像が表示される（Ｓ２６）。この場合、直前まで表示されていた画像についての無地のフォーマット情報と書き込み内容（座標情報）とは、座標情報記憶領域２０４１に記憶されたままである。そして、それとは別に、新たな無地のフォーマットと新たな書き込み内容（座標情報）とが、後述するＳ３２において、新たに座標情報記憶領域２０４１に記憶される。
【００４９】
なお、Ｓ２６では、情報模様６１が形成されていないため第一情報（フォーマット情報及びページ情報）が特定できないので、無地のフォーマットの画像をディスプレイ４に表示することにしているが、これに限定されない。例えば、ユーザがフォーマット情報とページ情報を選択できるようにし、選択されたフォーマット情報とページ情報とに対応した画像（例えば、ページが選択されたアドレス帳、罫線、及びカレンダー等の画像）をディスプレイ４に表示してもよい。この場合、後述するＳ３２で、選択されたフォーマット情報とページ情報と座標情報とを対応付けて、座標情報記憶領域２０４１に記憶されるようにしてもよい。
【００５０】
Ｓ２６が実行された後、Ｓ１９〜Ｓ２３と同様に、Ｓ２７〜Ｓ３１が行われる。すなわち、時間Ｔ１が「０」に設定され（Ｓ２７）、時間Ｔ１の測定が開始される（Ｓ２８）。時間Ｔ１が時間Ｔ２以上か否かが判断される（Ｓ２９）。時間Ｔ１が時間Ｔ２以上である場合（Ｓ２９：ＹＥＳ）、処理はＳ１１に戻る。時間Ｔ１が時間Ｔ２以上でない場合（Ｓ２９：ＮＯ）、座標情報が取得される（Ｓ３０）、次いで、Ｓ３０で、座標情報が取得されたか否かが判断される（Ｓ３１）。座標情報が取得されていない場合（Ｓ３１：ＮＯ）、処理はＳ２９に戻る。
【００５１】
次いで、無地のフォーマット情報と座標情報とが対応付けられて、座標情報記憶領域２０４１に記憶される（Ｓ３２）。次いで、Ｓ３２に記憶された無地のフォーマット情報と座標情報とに基づいて、画像がディスプレイ４に表示される（Ｓ３３）。これによって、ユーザが書き込んだ文字等のキャラクタが表示される。次いで、処理はＳ２７に戻る。
【００５２】
以上のように、本実施形態における処理が行われる。本実施形態では、紙媒体７０に情報模様６１が形成されていない場合にも、座標情報を記憶することができる（Ｓ３２）。つまり、情報模様６１が形成されている専用紙をユーザが使用せず、情報模様６１が形成されていない汎用紙に対して書き込みを行った場合でも、座標情報（書き込み内容）を記憶することができる（Ｓ３２）。よって、ユーザの利便性が向上する。
【００５３】
また、カメラシステム２３は、載置部２４の外縁近傍に設けられている。つまり、電子ペン３の内部には設けられていない。このため、電子ペン３の内部にカメラシステム２３を設ける場合に比べて電子ペン３を小型化できる。よって、ユーザにとって、電子ペン３が持ちやすくなる。また、紙媒体７０に形成された情報模様６１を読み取って、第一情報を特定することができる（Ｓ１３）。さらに、読取装置２は、Ｓ１３で特定された第一情報（フォーマット情報、ページ情報）と、Ｓ２２で取得された座標情報とを対応付けて、座標情報記憶領域２０４１に記憶することができる。
【００５４】
また、本実施形態では、情報模様６１が紙媒体７０の縁部７７のうち、側面７８の一部に形成されている。つまり、紙媒体７０上のユーザが書き込みを行う部分に情報模様６１が形成されない。このため、書き込みを行う際に情報模様６１がユーザの目に付きにくく、ユーザが書き込みを行い易くなる。
【００５５】
また、本実施形態における紙媒体７０には、読取装置２のＳ１１によって撮像される情報模様６１が形成されている。紙媒体７０に情報模様６１が形成されているので、読取装置２は、情報模様６１を撮像して第一情報を特定（取得）することができる。つまり、紙媒体７０は、読取装置に第一情報を伝達することができる。
【００５６】
本実施形態において、図７のＳ２２及びＳ３０の処理を行うＣＰＵ２０１が本発明の「座標取得手段」に相当し、カメラシステム２３（図２参照）が本発明の「撮像手段」に相当する。図７のＳ１１の処理を行うＣＰＵ２０１が本発明の「画像取得手段」に相当し、データテーブル記憶領域２０２２が本発明の「第一記憶手段」に相当する。Ｓ１２及びＳ１３の処理を行うＣＰＵ２０１が本発明の「特定手段」に相当し、第一データテーブル５１（図５参照）及び第二データテーブル５２（図６参照）が本発明の第二情報に相当する。Ｓ２４の処理を行うＣＰＵ２０１が本発明の「第一記憶制御手段」に相当し、座標情報記憶領域２０４１が本発明の「第二記憶手段」と「第三記憶手段」とに相当する。Ｓ３２の処理を行うＣＰＵ２０１が本発明の「第二記憶制御手段」に相当し、Ｓ１４の処理を行うＣＰＵ２０１が本発明の「特定判断手段」に相当する。イメージセンサ２３２が本発明の「光検出部」に相当し、ＬＥＤ２３４が本発明の「発光部」に相当する。ミラー２３５が本発明の「ミラー部」に相当する。
【００５７】
なお、本発明は上記の実施形態に限定されるものではなく、種々の変更が可能である。例えば、第一情報は、ページ情報とフォーマット情報とを含んでいたが、これに限定されない。例えば、ページ情報のみを含んでもよいし、フォーマット情報のみを含んでもよい。また、第一情報は、ページ情報及びフォーマット情報とは異なる情報（例えば、紙媒体７０の色の情報等）を含んでいてもよい。そして、これらの第一情報に対応した情報模様６１が紙媒体７０に形成されていてもよい。
【００５８】
また、情報模様６１の模様は、ＣＰＵ２０１が第一情報を読み取り可能な模様であればよく、模様の形状や模様の色等は限定されない。例えば、バーコードのように構成してもよい。
【００５９】
また、カメラシステム２３の構成は限定されない。例えば、カメラシステム２３は、イメージセンサ２３２のみで構成されていてもよい。
【００６０】
また、読取装置２は、電磁誘導方式によって、ユーザが指定した座標情報を取得することができた。しかし、電子ペン３の内部にカメラシステム２３を備えない方式であれば、方式は限定されない。例えば、超音波検知方式や赤外線方式であってもよい。
【００６１】
また、Ｓ１２（図７参照）で上の行の画素から順番に読み取って、Ｓ１３で照合を行うことで、ユーザが開いているページの情報模様６１が特定されていた。しかし、ユーザが開いているページが特定できれば、特に画素の読み取り方法は限定されない。例えば、最も下の行９１８（図９参照）から上の行９０１に向かって順番に読み取って、情報模様６１が無くなる行９０８の直前の行９０９の情報模様６１を特定することで、ユーザが開いているページの情報模様６１を特定してもよい。
【００６２】
また、図７のＳ１７、Ｓ１８、Ｓ２５、Ｓ２６、及びＳ３３で、ディスプレイ４に画像を表示していたが、これに限定されない。例えば、画像を表示しなくてもよい。
【００６３】
また、情報模様６１は紙媒体７０の縁部７７のうち、側面７８の一部に形成されていたが、これに限定されない。情報模様６１の位置は、読取装置２に備えられたカメラシステム２３で撮像可能な位置にあればよく、特に位置は限定されない。また、情報模様６１の位置を変更する場合、情報模様６１の位置に合わせて、カメラシステム２３の位置を変更してもよい。また、カメラシステム２３を着脱可能に構成し、カメラシステム２３の位置を変更可能にしてもよい。また、情報模様６１は、紙媒体７０の縁部７７のうち、紙媒体７０の各ページの上面に形成されていてもよい。以下、詳細に説明する。
【００６４】
図１３に示すように、紙媒体７０の３ページの縁部７７のうち、上面の左下部に情報模様６１が形成されている。情報模様６１には、第一実施形態において側面７８に形成されていたページ情報「３ページ」を示すページ模様６２３「■□■□□□■」（図４、図５、及び図９参照）と、フォーマット情報「罫線」を示すフォーマット模様６３２「■■□■」（図４、図６、及び図９参照）とが含まれている。また、カメラシステム２３は、紙媒体７０の上面に形成された情報模様６１を撮像するために、第一実施形態の場合とは位置が異なっている。具体的には、図１４に示すように、カメラシステム２３は、紙媒体７０の左上方に設置され、情報模様６１を撮像可能な方向に向いている。なお、カメラシステム２３は、読取装置２から上方に延びる支柱部２３８によって支持されている。支柱部２３８の内部には、カメラシステム２３の電気的構成とＣＰＵ２０１とを電気的に接続するための配線（図示外）が設けられている。以上の構成によって、ＣＰＵ２０１は、カメラシステム２３を使用して情報模様６１を撮像し（図７のＳ１１参照）、第一情報（ページ情報及びフォーマット情報）を特定することができる（図７のＳ１３参照）。
【００６５】
第一実施形態において、メイン処理（図７参照）は、読取装置２が実行する処理であったが、これに限定されない。例えば、パーソナルコンピュータ（以下、ＰＣという。）が、読取装置２を使用して行う処理であってもよい。以下、詳細に説明する。
【００６６】
図１５は、図１に示す手書入力システム１の変形例である手書入力システム１０を示している。この変形例を第二実施形態という。なお、以下の説明では、第一実施形態と同様の構成は同じ符号で示し、詳細の説明は省略する。図１５に示すように、手書入力システム１０は、読取装置２、電子ペン３、ディスプレイ４、及びＰＣ８を備えている。読取装置２は、ＰＣ８に接続されている。ディスプレイ４はＰＣ８に接続されている。
【００６７】
図１６を参照して、手書入力システム１の電気的構成について説明する。図１６に示すように、ＰＣ８は、ＣＰＵ８０１、ＲＯＭ８０２、ＲＡＭ８０３、ＨＤＤ８０４、及び駆動回路８１０を備えている。ＲＯＭ８０２、ＲＡＭ８０３、ＨＤＤ８０４、及び駆動回路８１０は、ＣＰＵ８０１に接続されている。また、ＣＰＵ８０１には、ＰＣ８の外部に備えられた入力部８２（例えば、キーボードやマウス等）が電気的に接続されている。
【００６８】
ＲＯＭ８０２は、プログラム記憶領域８０２１と、第一実施形態（図３参照）において読取装置２に備えられていたデータテーブル記憶領域２０２２と画像データ記憶領域２０２３とを少なくとも備えている。プログラム記憶領域８０２１には、ＣＰＵ８０１がＰＣ８を制御する処理を実行するための各種プログラムが記憶されている。ＨＤＤ８０４は、第一実施形態（図３参照）において読取装置２に備えられていた座標情報記憶領域２０４１を少なくとも備えている。データテーブル記憶領域２０２２、画像データ記憶領域２０２３、及び座標情報記憶領域２０４１には、第一実施形態と同様のデータが記憶される。駆動回路８１０は、ディスプレイ４に画像を表示させる電子回路である。ＰＣ８のＣＰＵ８０１は、例えば、ＵＳＢ（Ｕｎｉｖｅｒｓａｌ  Ｓｅｒｉａｌ  Ｂｕｓ）ケーブル等を介して、読取装置２のＣＰＵ２０１に接続される。
【００６９】
読取装置２は、第一実施形態（図３と参照）で備えていた、駆動回路２１０、データテーブル記憶領域２０２２、画像データ記憶領域２０２３、及び座標情報記憶領域２０４１を備えていない。その他の読取装置２の電気的構成は第一実施形態と同様である。
【００７０】
第二実施形態では、図７に示すメイン処理（詳細には、メイン処理を若干変更した処理）をＰＣ８のＣＰＵ８０１が実行する。図７を参照して、ＰＣ８のＣＰＵ８０１が実行するメイン処理について説明する。以下の説明では、第一実施形態と異なる部分のみを詳述し、第一実施形態と同じ処理の詳細についての説明は省略する。
【００７１】
図７に示すように、まず、情報模様６１が撮像され、画像が取得される（Ｓ１１）。Ｓ１１では、ＣＰＵ８０１は、読取装置２のＣＰＵ２０１に対して、カメラシステム２３を使用して画像を取得するように命令を送信する。命令を受信した読取装置２のＣＰＵ２０１は、カメラシステム２３を使用して情報模様６１を含む画像を撮像し、撮像した画像をＰＣ８のＣＰＵ８０１に送信する。ＣＰＵ８０１は、送信された画像を受信することで、情報模様６１が撮像された画像を取得する（Ｓ１１）。そして、第一実施形態と同様に、Ｓ１２〜Ｓ３３の処理を行う。Ｓ２２では、読取装置２のＣＰＵ２０１は、座標検出部２５を介して取得した座標情報をＰＣ８のＣＰＵ８０１に送信する。これによって、ＣＰＵ８０１は、座標情報を取得することができる（Ｓ３０も同様）。
【００７２】
そして、第一実施形態と同様に、ＣＰＵ８０１は取得した座標情報と、第一情報（フォーマット情報及びページ情報）とを対応付けて座標情報記憶領域２０４１に記憶する（Ｓ２４）。同様に、Ｓ３２においても、座標情報が座標情報記憶領域２０４１に記憶される。
【００７３】
以上のように、第二実施形態における処理が実行される。第二実施形態では、ＰＣ８を使用して、第一実施形態と同様の効果を得ることができる。
【００７４】
第二実施形態において、ＰＣ８が本発明の「読取装置」に相当する。図７のＳ２２及びＳ３０の処理を行うＣＰＵ８０１が本発明の「座標取得手段」に相当し、カメラシステム２３（図２参照）が本発明の「撮像手段」に相当する。図７のＳ１１の処理を行うＣＰＵ８０１が本発明の「画像取得手段」に相当し、データテーブル記憶領域２０２２が本発明の「第一記憶手段」に相当する。Ｓ１３の処理を行うＣＰＵ８０１が本発明の「特定手段」に相当し、第一データテーブル５１（図５参照）及び第二データテーブル５２（図６参照）が本発明の第二情報に相当する。Ｓ２４の処理を行うＣＰＵ８０１が本発明の「第一記憶制御手段」に相当し、座標情報記憶領域２０４１が本発明の「第二記憶手段」と「第三記憶手段」に相当する。Ｓ３２の処理を行うＣＰＵ８０１が本発明の「第二記憶制御手段」に相当し、Ｓ１４の処理を行うＣＰＵ８０１が本発明の「特定判断手段」に相当する。
【符号の説明】
【００７５】
１，１０    手書入力システム
２    読取装置
３    電子ペン
２３    カメラシステム
２４    載置部
２５    座標検出部
５１    第一データテーブル
５２    第二データテーブル
５３    座標情報データテーブル
６１    情報模様
６２    ページ模様
６３    フォーマット模様
７０    紙媒体
７７    縁部
７８    側面
２０１，８０１    ＣＰＵ
２３２    イメージセンサ
２０２２    データテーブル記憶領域
２０２３    画像データ記憶領域
２０４１    座標情報記憶領域
【図１】
0005691736.tif 000002
【図２】
0005691736.tif 000003
【図３】
0005691736.tif 000004
【図４】
0005691736.tif 000005
【図５】
0005691736.tif 000006
【図６】
0005691736.tif 000007
【図７】
0005691736.tif 000008
【図８】
0005691736.tif 000009
【図９】
0005691736.tif 000010
【図１０】
0005691736.tif 000011
【図１１】
0005691736.tif 000012
【図１２】
0005691736.tif 000013
【図１３】
0005691736.tif 000014
【図１４】
0005691736.tif 000015
【図１５】
0005691736.tif 000016
【図１６】
0005691736.tif 000017